(57)【要約】【課題】簡易な構成で、薬剤等の投与範囲を広くすることができるカテーテルおよび薬剤投与装置を提供すること。【解決手段】内部チャネルを有する細長い管状の躯体２をしており、前記内部チャネルに薬剤を取り入れる第１の薬剤取入口５と、前記内部チャネルに薬剤を取り入れる第２の薬剤取入口６と、管状の躯体２の側面であって第１の薬剤取入口５と第２の薬剤取入口６との間に位置し前記内部チャネルと外部とを連通する複数の貫通穴４とを有するカテーテル１と、カテーテル１の第１の薬剤取入口５に連通して薬剤を貫通穴４側に吐出するポンプ７と、カテーテル１の第２の薬剤取入口６に連通して薬剤を貫通穴４側に吐出するポンプ８と、を備える。【選択図】図２
2010252924.tif 000002
【特許請求の範囲】
【請求項１】
内部チャネルを有する細長い管状の躯体をしており、
前記内部チャネルに薬剤を取り入れる第１の薬剤取入口と、
前記内部チャネルに薬剤を取り入れる第２の薬剤取入口と、
前記管状の躯体の側面であって前記第１の薬剤取入口と前記第２の薬剤取入口との間に位置し、前記内部チャネルと外部とを連通する複数の貫通穴と、
を有することを特徴とするカテーテル。
【請求項２】
前記細長い管状の躯体の途中に、Ｕ字型に折り曲がった屈曲部を有することを特徴とする請求項１に記載のカテーテル。
【請求項３】
薬剤の送出源からの一つの流路を前記第1の薬剤取入口と前記第２の薬剤取入口とに向けて分岐させる分岐器をさらに有することを特徴とする請求項１に記載のカテーテル。
【請求項４】
前記内部チャネルは、前記第１の薬剤取入口に連通する第１の内部チャネルと、前記第２の薬剤取入口に連通する第２の内部チャネルとを含み、
前記複数の貫通穴は、前記第１の内部チャネルと外部とを連通する複数の第１の貫通穴と、前記第２の内部チャネルと外部とを連通する複数の第２の貫通穴を含み、
前記第１の内部チャネルと前記第２の内部チャネルとは互いに分離され、
前記管状の躯体の軸方向において前記複数の第１の貫通穴が位置する範囲と前記複数の第２の貫通穴が位置する範囲とは少なくとも一部が重複することを特徴とする請求項１に記載のカテーテル。
【請求項５】
内部チャネルを有する細長い管状の躯体をしており、前記内部チャネルに薬剤を取り入れる第１の薬剤取入口と、前記内部チャネルに薬剤を取り入れる第２の薬剤取入口と、前記管状の躯体の側面であって前記第１の薬剤取入口と前記第２の薬剤取入口との間に位置し前記内部チャネルと外部とを連通する複数の貫通穴と、を有するカテーテルと、
前記カテーテルの第１の薬剤取入口と第２の薬剤取入口とに、直接または間接に連通する少なくとも１つの薬剤送出源と、
を有することを特徴とする薬剤投与装置。
【請求項６】
前記薬剤送出源は、前記カテーテルの第１の薬剤取入口に直接または間接に連通する第１の薬剤送出源と、前記カテーテルの第２の薬剤取入口に直接または間接に連通する前記第１の薬剤送出源とは別の第２の薬剤送出源とを含むことを特徴とする請求項５に記載の薬剤投与装置。
【請求項７】
前記カテーテルの細長い管状の躯体の途中に、Ｕ字型に折り曲がった屈曲部を有することを特徴とする請求項５に記載の薬剤投与装置。
【請求項８】
前記薬剤送出源は、単一の装置であり、
前記カテーテルは、前記単一の薬剤送出源からの一つの流路を前記第1の薬剤取入口と前記第２の薬剤取入口とに向けて分岐させる分岐器をさらに有することを特徴とする請求項５に記載の薬剤投与装置。
【請求項９】
前記カテーテルは、
前記内部チャネルは、前記第１の薬剤取入口に連通する第１の内部チャネルと、前記第２の薬剤取入口に連通する第２の内部チャネルとを含み、
前記複数の貫通穴は、前記第１の内部チャネルと外部とを連通する複数の第１の貫通穴と、前記第２の内部チャネルと外部とを連通する複数の第２の貫通穴とを含み、
前記第１の内部チャネルと前記第２の内部チャネルとは互いに分離され、
前記管状の躯体の軸方向において前記複数の第１の貫通穴が位置する範囲と前記複数の第２の貫通穴が位置する範囲とは少なくとも一部が重複することを特徴とする請求項５に記載の薬剤投与装置。
【請求項１０】
内部チャネルを有する細長い管状の躯体をしており、側面に前記内部チャネルと外部とを連通する複数の貫通穴をもつカテーテルと、
前記カテーテルの前記内部チャネルに薬剤を送出する少なくとも１つの薬剤送出源と、
を有し、
前記薬剤送出源は、前記カテーテルの両端側から各々逆方向に、前記内部チャネルを通って前記複数の貫通穴に向けて薬剤を送出することを特徴とすることを特徴とする薬剤投与装置。
【発明の詳細な説明】
【技術分野】
【０００１】
この発明は、生体内に挿入され、側面に配設された複数の貫通穴から薬剤を吐出するカテーテルおよびこのカテーテルを用いた薬剤投与装置に関するものである。
【背景技術】
【０００２】
従来から、人間や人間以外の哺乳動物等に挿入されるカテーテルは、内部にチャネルを有する細長い管状をしている。この管状の躯体のうち体内に挿入される部分には、薬剤の吐出等を目的として内部チャネルと外部とを連通する貫通穴が設けられている。このようなカテーテルには、側面に複数の貫通穴を設け、この側面の複数の貫通穴から広い領域に薬剤を吐出できるようにしたものがある。この側面に複数の貫通穴を有するカテーテルでは、薬剤をポンプ等の薬剤送出源から送出し、カテーテルの基端側から内部チャネルに向けて取り入れ、複数の貫通穴から体内に吐出していた。
【先行技術文献】
【特許文献】
【０００３】
【特許文献１】特表２００３−５０４１３２号公報
【発明の概要】
【発明が解決しようとする課題】
【０００４】
しかしながら、従来のカテーテルで、基端から一方向に薬剤を投入する場合、基端に近い貫通穴と先端に近い貫通穴とでは、薬剤の吐出量が同一ではなかった。すなわち、基端に近い貫通穴で十分な吐出量が得られても、途中の貫通穴で薬剤が順次吐出されて内部チャネル内の薬剤の圧力が低下する状態が生じる。この結果、先端近くの貫通穴では十分な吐出量が得られない場合が多く、貫通穴の位置が基端から先端になるにつれ、吐出量が漸減する現象があった。
【０００５】
このような吐出量が漸減する現象は、カテーテルの側面に複数の貫通穴を設ける領域の長さに限界をもたらしていた。すなわち、従来のカテーテルでは、１本のカテーテルで薬剤を投与できる範囲が小さく限られるという問題点があった。
【０００６】
この発明は、上記に鑑みてなされたものであって、簡易な構成で、薬剤等の投与範囲を広くすることができるカテーテルおよび薬剤投与装置を提供することを目的とする。
【課題を解決するための手段】
【０００７】
上述した課題を解決し、目的を達成するために、この発明にかかるカテーテルは、内部チャネルを有する細長い管状の躯体をしており、前記内部チャネルに薬剤を取り入れる第１の薬剤取入口と、前記内部チャネルに薬剤を取り入れる第２の薬剤取入口と、前記管状の躯体の側面であって前記第１の薬剤取入口と前記第２の薬剤取入口との間に位置し、前記内部チャネルと外部とを連通する複数の貫通穴と、を有することを特徴とする。
【０００８】
また、この発明にかかるカテーテルは、上記の発明において、前記細長い管状の躯体の途中に、Ｕ字型に折り曲がった屈曲部を有することを特徴とする。
【０００９】
また、この発明にかかるカテーテルは、上記の発明において、薬剤の送出源からの一つの流路を前記第1の薬剤取入口と前記第２の薬剤取入口とに向けて分岐させる分岐器をさらに有することを特徴とする。
【００１０】
また、この発明にかかるカテーテルは、上記の発明において、前記内部チャネルは、前記第１の薬剤取入口に連通する第１の内部チャネルと、前記第２の薬剤取入口に連通する第２の内部チャネルとを含み、前記複数の貫通穴は、前記第１の内部チャネルと外部とを連通する複数の第１の貫通穴と、前記第２の内部チャネルと外部とを連通する複数の第２の貫通穴を含み、前記第１の内部チャネルと前記第２の内部チャネルとは互いに分離され、前記管状の躯体の軸方向において前記複数の第１の貫通穴が位置する範囲と前記複数の第２の貫通穴が位置する範囲とは少なくとも一部が重複することを特徴とする。
【００１１】
また、この発明にかかる薬剤投与装置は、内部チャネルを有する細長い管状の躯体をしており、前記内部チャネルに薬剤を取り入れる第１の薬剤取入口と、前記内部チャネルに薬剤を取り入れる第２の薬剤取入口と、前記管状の躯体の側面であって前記第１の薬剤取入口と前記第２の薬剤取入口との間に位置し前記内部チャネルと外部とを連通する複数の貫通穴と、を有するカテーテルと、前記カテーテルの第１の薬剤取入口と第２の薬剤取入口とに、直接または間接に連通する少なくとも１つの薬剤送出源と、を有することを特徴とする。
【００１２】
また、この発明にかかる薬剤投与装置は、上記の発明において、前記薬剤送出源は、前記カテーテルの第１の薬剤取入口に直接または間接に連通する第１の薬剤送出源と、前記カテーテルの第２の薬剤取入口に直接または間接に連通する前記第１の薬剤送出源とは別の第２の薬剤送出源とを含むことを特徴とする。
【００１３】
また、この発明にかかる薬剤投与装置は、上記の発明において、前記カテーテルの細長い管状の躯体の途中に、Ｕ字型に折り曲がった屈曲部を有することを特徴とする。
【００１４】
また、この発明にかかる薬剤投与装置は、上記の発明において、前記薬剤送出源は、単一の装置であり、前記カテーテルは、前記単一の薬剤送出源からの一つの流路を前記第1の薬剤取入口と前記第２の薬剤取入口とに向けて分岐させる分岐器をさらに有することを特徴とする。
【００１５】
また、この発明にかかる薬剤投与装置は、上記の発明において、前記カテーテルは、前記内部チャネルは、前記第１の薬剤取入口に連通する第１の内部チャネルと、前記第２の薬剤取入口に連通する第２の内部チャネルとを含み、前記複数の貫通穴は、前記第１の内部チャネルと外部とを連通する複数の第１の貫通穴と、前記第２の内部チャネルと外部とを連通する複数の第２の貫通穴とを含み、前記第１の内部チャネルと前記第２の内部チャネルとは互いに分離され、前記管状の躯体の軸方向において前記複数の第１の貫通穴が位置する範囲と前記複数の第２の貫通穴が位置する範囲とは少なくとも一部が重複することを特徴とする。
【００１６】
また、この発明にかかる薬剤投与装置は、内部チャネルを有する細長い管状の躯体をしており、側面に前記内部チャネルと外部とを連通する複数の貫通穴をもつカテーテルと、前記カテーテルの前記内部チャネルに薬剤を送出する少なくとも１つの薬剤送出源と、を有し、前記薬剤送出源は、前記カテーテルの両端側から各々逆方向に、前記内部チャネルを通って前記複数の貫通穴に向けて薬剤を送出することを特徴とすることを特徴とする。
【発明の効果】
【００１７】
この発明によれば、内部チャネルを有する細長い管状の躯体をしており、前記内部チャネルに薬剤を取り入れる第１の薬剤取入口と、前記内部チャネルに薬剤を取り入れる第２の薬剤取入口と、前記管状の躯体の側面であって前記第１の薬剤取入口と前記第２の薬剤取入口との間に位置し、前記内部チャネルと外部とを連通する複数の貫通穴と、を有したカテーテルの前記第１の薬剤取入口と前記第２の薬剤取入口とからそれぞれ逆方向に前記複数の貫通穴に向けて薬剤を吐出し、該複数の貫通穴における薬剤の吐出を可能にしているので、簡易な構成で、薬剤等の投与範囲を広くすることができる。
【図面の簡単な説明】
【００１８】
【図１】図１は、この発明の実施の形態１にかかるカテーテルの概要構成を示す模式図である。
【図２】図２は、図１に示したカテーテルを用いた薬剤投与装置の概要構成を示す模式図である。
【図３】図３は、第１の薬剤取入口から一つのポンプのみを用いて薬剤を送出した場合における複数の貫通穴の吐出量分布を示す図である。
【図４】図４は、第２の薬剤取込口から一つのポンプのみを用いて薬剤を送出した場合における複数の貫通穴の吐出量分布を示す図である。
【図５】図５は、ふたつのポンプによって第１の薬剤取入口および第２の薬剤取入口の両端側から薬剤を吐出した場合の複数の貫通穴の吐出量分布を示した図である。
【図６】図６は、この発明の実施の形態２にかかるカテーテルの貫通穴近傍の構成を示す模式図である。
【図７】図７は、この発明の実施の形態２の変形例にかかるカテーテルの貫通穴近傍の構成を示す模式図である。
【図８】図８は、この発明の実施の形態３にかかるカテーテルの貫通穴近傍の構成を示す模式図である。
【図９】図９は、この発明の実施の形態３の変形例にかかるカテーテルの貫通穴近傍の構成を示す模式図である。
【図１０】図１０は、この発明の実施の形態４にかかるカテーテルの概要構成を示す模式図である。
【図１１】図１１は、この発明の実施の形態５にかかるカテーテルの概要構成を示す模式図である。
【図１２】図１２は、この発明の実施の形態６にかかるカテーテルの概要構成を示す模式図である。
【図１３】図１３は、この発明の実施の形態６の変形例１にかかるカテーテルの概要構成を示す模式図である。
【図１４】図１４は、この発明の実施の形態６の変形例２にかかるカテーテルの貫通穴近傍の構成を示す模式図である。
【図１５】図１５は、この発明の実施の形態６の変形例３にかかるカテーテルの貫通穴近傍の構成を示す模式図である。
【発明を実施するための形態】
【００１９】
以下、図面を参照して、この発明を実施するための形態であるカテーテルおよびこれを用いた薬剤投与装置について説明する。
【００２０】
（実施の形態１）
図１は、この発明の実施の形態１にかかるカテーテルの概要構成を示す模式図である。図１に示すように、カテーテル１は、内部チャネル３を有する細長い管状の躯体２をなし、側面に内部チャネル３と外部とを連通する複数の貫通穴４を有している。カテーテル１全体は、生体適合性のある材料、例えば、ポリウレタン、弾性シリコン、テフロン（登録商標）、ポリ塩化ビニル、ポリエチレンなどで形成されている。
【００２１】
このカテーテル１は、管状の躯体２の一端が、内部チャネル３に薬剤を取り入れ、内部チャネル３と連通した開口部である第１の薬剤取入口５と、管状の躯体２の他端が、内部チャネル３に薬剤を取り入れ、内部チャネル３と連通した開口部である第２の薬剤取入口６を有する。また、複数の貫通穴４は、全て管状の躯体２の側面において、第１の薬剤取入口５と第２の薬剤取入口６との間に位置している。
【００２２】
ここで、第１の薬剤取入口５と第２の薬剤取入口との２つの開口から、内部チャネル３の内部、すなわち複数の貫通穴４側に向けて薬剤が送出されると、カテーテル１の両端から取り入れられた薬剤が各々逆方向に内部チャネル３を流れていき、結局、薬剤は２つの開口の間にある複数の貫通穴４から体内に吐出される。
【００２３】
図２は、図１に示したカテーテルを用いた薬剤投与装置の概要構成を示す模式図である。図２に示すように、カテーテル１は、体表１１を経由して体内の腫瘍などの投与目標１０に挿入されており、貫通穴４が投与目標１０内に配置される。
【００２４】
そして、カテーテル１の第１の薬剤取入口５には、第１の薬剤送出源であるポンプ７が接続されて連通しており、第２の薬剤取入口６には、第２の薬剤送出源であるポンプ８が接続されて連通している。図２では、カテーテル１にポンプ７およびポンプ８がそれぞれ直接接続されているが、他の部材を経由して間接的に接続および連通してもよい。また、ポンプ７，８は、体表１１に取り付けられているが、これに限らず、体内に埋め込まれていてもよいし、体外に離間して設けられていてもよい。
【００２５】
ここで、カテーテル１とポンプ７，８とを用いた場合における各貫通穴４からの薬剤吐出量分布について説明する。なお、複数の貫通穴４は、図１に示すように、第１の薬剤取入口５側から、軸方向に同一径の貫通穴４ａ，４ｂ，４ｃ，４ｄが順次配置されているものとして説明する。
【００２６】
まず、図３は、ポンプ７のみを用いた場合における貫通穴４ａ〜４ｄの吐出量分布を示す図である。この場合、貫通穴４ａ→４ｂ→４ｃ→４ｄの順で、順次吐出量が減少している。これは、ポンプ７から離隔するにしたがって、順次貫通穴から薬剤が吐出される減圧効果で、徐々に吐出圧が減少し、その結果、吐出量が減少しているものである。
【００２７】
同様に、図４は、ポンプ８のみを用いた場合における貫通穴４ａ〜４ｄの吐出量分布を示す図である。この場合、貫通穴４ｄ→４ｃ→４ｂ→４ａの順で、順次吐出量が減少している。これは、ポンプ８から離隔するにしたがって、順次貫通穴から薬剤が吐出される減圧効果で、徐々に吐出圧が減少し、その結果、吐出量が減少しているものである。
【００２８】
これに対し、図５は、ポンプ７，８によって第１の薬剤取入口５および第２の薬剤取入口６の両端側から薬剤を吐出した場合の貫通穴４ａ〜４ｄの吐出量分布を示した図である。この場合、図３および図４に示した吐出量分布を合成した吐出量分布となり、貫通穴４ａ〜４ｄの位置による減圧効果の影響が少なくなり、ほぼ均一な吐出量分布が得られている。すなわち、図２に示すように、カテーテル１の両端側から薬剤を送出し、側面の複数の貫通穴４から吐出させることで、各貫通穴４（４ａ〜４ｄ）の吐出量は、ほぼ一定にすることができる。また、減圧効果の影響が少なくなることから、貫通穴４を設ける軸方向の領域を広くすることができる。なお、この吐出量分布の均一化および吐出領域の広域化の効果は、貫通穴４が複数設けた場合に得られるものである。
【００２９】
（実施の形態２）
つぎに、この発明の実施の形態２について説明する。上述した実施の形態１では、管状の躯体２が直線状であったが、この実施の形態２では、図６に示すように、カテーテル１の細長い管状の躯体２の途中に、Ｕ字型に折れ曲がった屈曲部１２を設けている。そして、複数の貫通穴４は、屈曲部１２の片方の側面に設けている。この実施の形態２では、屈曲部１２を投与目標１０に挿入するようにすれば、カテーテル１の投与目標１０への挿入が一方向からで済むため、手技を簡易化することができる。
【００３０】
なお、図７に示すように、屈曲部１２の他方の側面にさらに貫通穴４′を設け、屈曲部１２の側面の両側から薬剤を吐出できるようにしてもよい。
【００３１】
（実施の形態３）
つぎに、この発明の実施の形態３について説明する。この実施の形態３では、図８に示すように、屈曲部１２を有する実施の形態２のカテーテルの両端部に、さらに分岐器１３を設けている。この分岐器１３は、薬剤の送出源からの一つの流路１４を、第１の薬剤取入口５と第２の薬剤取入口６とに向けて分岐させるものである。これにより、薬剤送出源としてのポンプが１つで足りることになる。なお、分岐器１３には、さらに流量の調整機能等を付加した構成であってもよい。
【００３２】
なお、図７と同様に、屈曲部１２の他方の側面にさらに貫通穴を設け、屈曲部１２の側面の両側から薬剤を吐出できるようにしてもよい（図９参照）。
【００３３】
（実施の形態４）
つぎに、この発明の実施の形態４について説明する。上述した実施の形態３では、屈曲部１２を有するカテーテルであることを前提としていたが、この実施の形態４では、図１０に示すように、図１に示した屈曲部１２をもたないカテーテル１の両端、すなわち第１の薬剤取入口５と第２の薬剤取入口６とを接続するとともに、一つのポンプが接続される流路１４とを接続する分岐器１３ａを設けている。すなわち、分岐部１３ａは、流路１４を介して流入した薬剤を、分岐してそれぞれ第１の薬剤取入口５および第２の薬剤取入口６から貫通穴４に向けて送出するようにしている。この場合も、一つのポンプのみを用いるという簡易な構成で実施の形態１と同様な作用効果を得ることができる。
【００３４】
（実施の形態５）
つぎに、この発明の実施の形態５について説明する。この実施の形態５では、図１１に示すように、カテーテル１の躯体２を、複数の貫通穴４が位置する薬剤吐出部２０と、薬剤吐出部２０の内部に挿入可能であり、貫通穴が無い２つの導管部２１，２２とに分離して構成している。導管部２１，２２の薬剤吐出部２０に対する位置は、軸方向に調整可能である。すなわち、導管部２１，２２を薬剤吐出部２０に対して適切な位置に移動した後、接着剤等で位置固定することによって、所望のカテーテルを得るようにしている。
【００３５】
このように構成することにより、複数の貫通穴４のうち、導管部２１，２２で覆われない貫通穴３１からのみ薬剤が吐出され、導管部２１，２２で覆われた貫通穴３０からは薬剤が吐出されない。従って、導管部２１，２２の薬剤吐出部２０に対する位置を適切に調整することで、使用する貫通穴を状況に応じて限定できる。これにより、投与目標１０の大きさ等の状況に応じて、適切な薬剤投与部位を精密に選択設定することができる。
【００３６】
（実施の形態６）
つぎに、この発明の実施の形態６について説明する。この実施の形態６のカテーテル４１は、図１２に示すように、内部チャネル３に対応する内部チャネル４３が、第１の薬剤取入口４５と連通する第１の内部チャネル４３aと、第２の薬剤取入口４６と連通する第２の内部チャネル４３ｂとを含んでいる。
【００３７】
そして、第１の内部チャネル４３aと第２の内部チャネル４３とは、例えば隔壁４７で分離しているので、薬剤は、２つの内部チャネル４３ａ，４３ｂを跨いで移動できない。複数の貫通穴は、第１の内部チャネル４３aと外部とを連通する複数の第１の貫通穴４４と、第２の内部チャネル４３ｂと外部とを連通する複数の第２の貫通穴４５とに区分される。すなわち、第１の内部チャネル４３aを通った薬剤は、複数の第１の貫通穴４４から吐出し、第２の内部チャネル４３ｂを通った薬剤は、複数の第２の貫通穴４５から吐出する。つまり、内部チャネル４３ａ，４３ｂと貫通穴４４，４５とのそれぞれの組合せが２つ存在する。
【００３８】
ここで、管状の躯体４２の軸方向において、複数の第１の貫通穴４４が位置する範囲と、複数の第２の貫通穴４５が位置する範囲は、少なくとも一部が重複するようになっている。このため、第１の貫通穴４４からの吐出量分布は、図３に示したようなプロフィールとなり、第２の貫通穴４５からの吐出量分布は、図４に示したようなプロフィールになるが、この重複範囲においては、第１の貫通穴４４と第２の貫通穴４５との吐出量の合計が寄与するので、全体としての吐出量分布は、図５に示したようなプロフィールとなり、各貫通穴位置でほぼ均一となる。
【００３９】
（実施の形態６の変形例１）
つぎに、この発明の実施の形態６の変形例１について説明する。この変形例１は、実施の形態６の構成を、実施の形態２に適用させたものであり、図１３に示すように、屈曲部１２に対応した屈曲部５２を有する。この屈曲部５２は、結合部材５１によって結合されている。この実施の形態６の変形例１では、実施の形態２と同様に、屈曲部５２を投与目標１０に挿入するようにすれば、カテーテル４１の投与目標１０への挿入が一方向からで済むため、手技を簡易化することができる。
【００４０】
（実施の形態６の変形例２）
つぎに、この発明の実施の形態６の変形例２について説明する。この変形例２は、実施の形態６の構成を、実施の形態３に適用させたものであり、図１４に示すように、屈曲部５２を有する変形例１のカテーテルの両端部に、さらに分岐器１３を設けている。この分岐器１３は、薬剤の送出源からの一つの流路１４を、第１の薬剤取入口４５と第２の薬剤取入口４６とに向けて分岐させるものである。これにより、薬剤送出源としてのポンプが１つで足りることになる。
【００４１】
（実施の形態６の変形例３）
つぎに、この発明の実施の形態６の変形例３について説明する。この変形例３は、実施の形態６の構成を、実施の形態４に適用させたものであり、図１５に示すように、カテーテル４１の両端、すなわち第１の薬剤取入口４５と第２の薬剤取入口４６とを接続するとともに、一つのポンプが接続される流路１４とを接続する分岐器１３ａを設けている。すなわち、分岐部１３ａは、流路１４を介して流入した薬剤を、分岐してそれぞれ第１の薬剤取入口４５および第２の薬剤取入口４６からそれぞれ貫通穴４４，４５に向けて送出するようにしている。この場合も、一つのポンプのみを用いるという簡易な構成で実施の形態１と同様な作用効果を得ることができる。
【符号の説明】
【００４２】
１，４１  カテーテル
２，４２  管状の躯体
３，４３，４３ａ，４３ｂ  内部チャネル
４，３０，３１，４４，４５  貫通穴
５，４５  第１の薬剤取入口
６，４６  第２の薬剤取入口
７，８  ポンプ
１０  投与目標
１１  体表
１２，５２  屈曲部
１３  分岐器
１４  流路
２０  薬剤吐出部
２１，２２  導管部
４７  隔壁
５１  結合部材
【図１】
2010252924.tif 000003
【図２】
2010252924.tif 000004
【図３】
2010252924.tif 000005
【図４】
2010252924.tif 000006
【図５】
2010252924.tif 000007
【図６】
2010252924.tif 000008
【図７】
2010252924.tif 000009
【図８】
2010252924.tif 000010
【図９】
2010252924.tif 000011
【図１０】
2010252924.tif 000012
【図１１】
2010252924.tif 000013
【図１２】
2010252924.tif 000014
【図１３】
2010252924.tif 000015
【図１４】
2010252924.tif 000016
【図１５】
2010252924.tif 000017